(57)【要約】【技術課題】使用を途中で止めたり再開したりすることができると共に、揮散量を調整することができる揮散キャップを提供する。【解決手段】外キャップ８を緩めるとゲル化剤収容１３ａ内のゲル化剤が容器本体１００内に落下して容器本体１００内の揮散成分をゲル化させることにより、揮散成分の揮散量を抑制し、少量ずつ揮散通路１４から揮散口１３を経由して室内に揮散させる。  外キャップ８を閉じると、遮閉口１５が閉じ、揮散を止めることができると共に、外キャップ８の閉じ量で遮閉口１５の開き量を調整し、これにより揮散量を調整する。【選択図】  図１
2015140206.tif 000002
【特許請求の範囲】
【請求項１】
使用に際し、容器本体内に充填された揮散物質にゲル化剤を混合して容器本体内において揮散物質のゲル化を図り、このゲル化により容器本体内において揮散物質の揮散量を抑制する構成の揮散キャップであって、この揮散キャップは、前記容器本体の口部に装着するための装着口を下部に形成すると共にこの容器本体の口部内に落ち込む凹部を形成し、かつこの凹部の底部中央に上向きの閉塞突起部を形成し、この閉塞突起部の周囲に複数の開孔を形成すると共に、前記容器本体の口部から上方に突出し、外周面に外ネジを形成した筒壁を設けた構成の内キャップと、前記内キャップの外ネジに螺合自在の内ネジを外壁の内面に形成し、この外壁の内側には前記内キャップの筒壁との間に揮散通路を形成し、かつ底部中央には前記内キャップの突起部が嵌合自在の開封口を形成したゲル化剤収容室を形成し、更に前記揮散通路の上端と前記内キャップ側の筒壁の上部との間には遮閉部を形成し、この遮閉部と前記外壁の外との間には揮散口を形成し、前記ゲル化剤収容室の上口には蓋体を着脱自在に装着した構成の外キャップと、からなる揮散キャップ。
【発明の詳細な説明】
【技術分野】
【０００１】
本発明は、容器本体内に揮散成分を充填しておき、この揮散成分を揮散させるときにキャップ内に収容したゲル化剤を容器本体内に落下させて揮散成分に混合し、この揮散成分をゲル化させて揮散が一気に進まないように制御する所謂揮散キャップに関する。
【背景技術】
【０００２】
消臭剤や芳香剤等の容器の場合、一般的には使用前は成分が揮散（気化）しないように密封しており、使用のために開封したときに一気に成分が揮散してしまわないように揮散成分にゲル化剤を混合してゲル化させ、このゲル化の作用で揮散が少量ずつになるように抑制する揮散キャップが用いられている。
【０００３】
このような用途を持つ容器として特開２０１３−２８３６８号公報には、
内容物の充填空間を有する容器本体と、頂部開口を有し口部に装着 されるキャップ本体と、揮散孔を有しキャップ本体にヒンジを介して連結される蓋体とを備え、キャップ本体は、頂部開口より口部の内壁に沿って伸延する内周壁と、内周壁の下端部を閉鎖する底部とを備え、内周壁は、底部に向けて伸延する一方、上部を キャップ本体から突出させる筒体を有し、筒体は、その上部の押し込みに伴い底部を開放して充填空間内の内容物を揮散させる刃部を備えた揮散容器が紹介されている。
【発明の概要】
【発明が解決しようとする課題】
【０００４】
しかし、この揮散容器の場合、一旦底壁をカットした後はこの底壁は開放したままとなり、途中で使用（揮散）を止めることができない。
【０００５】
また、使用する部屋の大きさに応じて揮散量を調整したりすることができず、使い勝手が悪い。
【０００６】
また、カットされた底壁は充填空間内において垂れ下がった状態で残るため、このカットされた底壁が揮散抵抗となったり、カットの状態によっては底壁の開放量に変化が生じ、安定した揮散を妨げることもある。
【０００７】
本発明の目的は、使用を途中で止めたり、揮散量を部屋の大きさに合わせて調整したりすることができると共に、安定した揮散を可能にする揮散キャップを提供することである。
【課題を解決するための手段】
【０００８】
上記目的を達成するための揮散キャップとして、請求項１に記載の発明は、使用に際し、容器本体内に充填された揮散物質にゲル化剤を混合して容器本体内において揮散物質のゲル化を図り、このゲル化により容器本体内において揮散物質の揮散量を抑制する構成の揮散キャップであって、この揮散キャップは、前記容器本体の口部に装着するための装着口を下部に形成すると共にこの容器本体の口部内に落ち込む凹部を形成し、かつこの凹部の底部中央に上向きの閉塞突起部を形成し、この閉塞突起部の周囲に複数の開孔を形成すると共に、前記容器本体の口部から上方に突出し、外周面に外ネジを形成した筒壁を設けた構成の内キャップと、前記内キャップの外ネジに螺合自在の内ネジを外壁の内面に形成し、この外壁の内側には前記内キャップの筒壁との間に揮散通路を形成し、かつ底部中央には前記内キャップの突起部が嵌合自在の開封口を形成したゲル化剤収容室を形成し、更に前記揮散通路の上端と前記内キャップ側の筒壁の上部との間には遮閉部を形成し、この遮閉部と前記外壁の外との間には揮散口を形成し、前記ゲル化剤収容室の上口には蓋体を着脱自在に装着した構成の外キャップと、からなることを特徴とするものである。
【発明の効果】
【０００９】
上記したように、本発明に係る揮散キャップは、使用のために外キャップを緩めると開封口が開き、外キャップ内のゲル化剤が容器本体内に落下して揮散成分をゲル化することで揮散量を抑え、一気に揮散成分が放出されないように制御することができる。
【００１０】
また、外キャップを締め込むと遮閉口が閉じるため、任意に使用を止めることができる。
勿論、外キャップを緩めることで再使用もできる。
【００１１】
また、外キャップの締め込みにより遮閉口の開き量を変えることにより、揮散量の調整を行うことができる。
この結果、部屋の大きさに適合した消臭や芳香を図ることができる。
【００１２】
また、外キャップを緩め量で遮閉口の開き量を一定に設定できるため、一旦この設定を行うと常に揮散する量も一定となることから、安定した消臭や芳香効果を奏することができる。
【図面の簡単な説明】
【００１３】
【図１】本発明に係る揮散キャップの説明図
【図２】揮散させている状態の説明図
【図３】Ａ−Ａ’線断面図
【図４】Ｂ−Ｂ’線断面図
【実施例】
【００１４】
図１乃至図４に基づいて本発明に係る揮散キャップの構成を詳細に説明する。
【００１５】
符号の１は揮散キャップ全体を示し、この揮散キャップ１は、容器本体１００内の揮散成分をゲル化したり、容器本体１００内から外に揮散する量を制御したりすることができる揮散キャップであって、このキャップ１は、前記容器本体１００の口部１０１に装着するための装着口２を下部に形成すると共に前記容器本体１００の口部１０１内に落ち込むように形成され、かつ底部の中央に閉塞突起部５を形成し、この閉塞突起部５の周囲に複数の開孔６を形成して成る凹部４を設け、更に前記容器本体１００の口部１０１から上方に突出し、外周面に外ネジを形成した筒壁を設けた構成の内キャップ３と、前記内キャップ３の外ネジ１７に螺合自在の内ネジ１７を外壁の内面に形成し、この外壁の内側に前記筒壁３ａの上部を内挿したときに上端に形成した開通口１５に連なる揮散通路１４を形成し、前記内キャップ３の筒壁３ａ内に組み込むことができ、かつ底部１０の中央には前記突起部５が嵌合自在の開封口１１を形成したゲル化剤収容室１２ａを形成し、更に前記揮散通路１４の上端と室内間を結ぶ揮散口１３を形成し、この揮散口１３は前記ゲル化剤収容室１２ａの筒壁１８の上部１６により密封（図１参照）及び開放（図２参照）自在に形成されていると共に、外キャップ８の閉じ量により遮閉口１５の開き量を調整することにより、揮散成分が揮発口１３より流出する量を制御でき、更に、前記ゲル化剤収容室１２ａには蓋１９ａを着脱自在に装着した構成の外キャップ８とからなる。
【００１６】
上記揮散キャップ１において、使用を始めるには、図２に示すように外キャップ８を緩めると外キャップ８の上昇により開孔６が開き、ゲル化剤収容室１２ａ内からゲル化剤が容器本体１００内に落下して容器本体１００内の揮発成分と混合し、この揮発成分をゲル化する。
【００１７】
このようにしてゲル化した揮発成分例えば消臭成分は、図２において２点鎖線で示すように揮散通路１４から遮閉口１５を通って揮散口１３に至り、ここから室内に揮散する。
【００１８】
そして、この揮散を止める場合には、再び外キャップ８を締め込むと、揮散通路１４と揮散口１３間において遮閉口１５が閉じられることにより、室内への揮散は止る。
【００１９】
また、揮散量の調整は、外キャップ８の締め込み量で遮閉口１５の開口量を変化させることにより行う。
【００２０】
以上に説明した本発明に係る揮散キャップ１は、消臭剤、芳香剤、防虫剤等の容器に装着して使用することができる。
【符号の説明】
【００２１】
１  揮散キャップ
３  内キャップ
６  開孔
８  外キャップ
１３  揮散口
１３ａ  ゲル化剤
１４  揮散通路
【図１】
2015140206.tif 000003
【図２】
2015140206.tif 000004
【図３】
2015140206.tif 000005
【図４】
2015140206.tif 000006